(57)【特許請求の範囲】
【請求項１】
圧縮機、冷媒配管及び電気品箱が設けられた機械室と、
背面側平面部、側面側平面部及び前記背面側平面部と側面側平面部がつながる角部を有し平面視がＬ字状の熱交換器、該熱交換器の前面に配置されたプロペラファン、及び該プロペラファンを駆動するモーターが設けられた送風機室と、
少なくとも前記熱交換器の側面側平面部と角部を覆う外郭パネルと、
前記機械室及び前記送風機室の上面を覆う天面パネルと、
を備え、
前記熱交換器の角部は、平面視がＲ形状であり、
前記外郭パネルにおいて、前記熱交換器の角部の外周を覆う部分は、該角部に沿うＲ形状で形成され、
前記天面パネルにおける前記熱交換器の前記角部の上部には、前記外郭パネルにおける前記熱交換器の角部の外周を覆う部分より外側に突出した取っ手が設けられ、
前記取っ手は、前記天面パネルの背面側の端及び側面側の端のそれぞれの延長線の内側に形成されており、該取っ手の裏側に凹部を有することを特徴とする空気調和機の室外機。
【請求項２】
前記取っ手の外郭形状は、平面視がＲ形状であることを特徴とする請求項１に記載の空気調和機の室外機。
【請求項３】
前記取っ手の外郭形状は、平面視が略三角形状であることを特徴とする請求項１に記載の空気調和機の室外機。
【請求項４】
前記外郭パネルの側面に、前記熱交換器を通過する風が流入する開口部を複数段備え、
前記複数段の開口部のうち少なくとも最上段の開口部は、他の前記開口部より面積が小さいことを特徴とする請求項１〜請求項３のいずれかに記載の空気調和機の室外機。
【請求項５】
前記天面パネルの取っ手は、板材が用いられており、外郭部分の端面がＵ字状に折り曲げられてなることを特徴とする請求項１〜請求項４のいずれかに記載の空気調和機の室外機。
【請求項６】
前記天面パネルの上面に、前記取っ手の位置を明示する表示部を設けたことを特徴とする請求項１〜請求項５のいずれかに記載の空気調和機の室外機。
【発明の詳細な説明】
【技術分野】
【０００１】
本発明は、取っ手を有する空気調和機の室外機に関するものである。
【背景技術】
【０００２】
従来の取っ手を有する空気調和機の室外機として、「箱体が、箱本体と、この箱本体の上面の開口を塞ぐ上面部材とから構成し、上記上面部材は短辺側の端部に一体形成の運搬用の把手部を有し、上記箱本体の側面部は、上記把手部に対応した位置に一体に箱体内側に凹む凹部と、この凹部に隣り合う平坦部分とを有し、上記凹部は、その上端面が上記凹部に隣り合う平坦部分の上端面と一体に連続するように箱体内側に凹み、この凹部の上端面が上記上面部材の下面と接触若しくは近接して位置しており、この凹部と上記把手部との間に指挿入用の空間を有して把手を構成する。」というものがある（特許文献１参照）。
【先行技術文献】
【特許文献】
【０００３】
【特許文献１】特開２００７−１１３８６１号公報（要約、図７）
【発明の概要】
【発明が解決しようとする課題】
【０００４】
従来の取っ手を有する空気調和機の室外機において、その内部に設けられる熱交換器は製品を小型化するためにＬ字状に形成されていることが多い。また、熱交換器の外側を覆うパネルの側面側には熱交換器の通風を阻害しないよう格子状の桟を残して開放する構造が一般的となっている。そして、製品の小型化と性能向上のため、熱交換器と外郭パネルの隙間は最小限まで詰める必要がある。そのため、特許文献１のように室外機の側面に凹部を設けた場合、その凹部の奥行きは長くすることができず、持ちにくい形状となってしまう。この空間を確保するためには、内部の熱交換器と製品外郭パネルとの空間を拡大した場合、大型化するという課題があった。
【０００５】
また、特許文献１のように凹部を設けて側面から手を入れる空間を確保する場合は、この凹部に空気を流入させる開口部を設けることは、製造上困難であり、熱交換器に流入する空気の流路を遮蔽するため、熱交換器の効率低下の要因となるという課題があった。
【０００６】
本発明の目的は、取っ手を有する空気調和機の室外機において、取っ手を設けることにより大型化することなく、熱交換器に流入する空気を遮蔽しない空気調和機の室外機を提供することである。
【課題を解決するための手段】
【０００７】
本発明における空気調和機の室外機は、圧縮機、冷媒配管及び電気品箱が設けられた機械室と、背面側平面部、側面側平面部及び前記背面側平面部と側面側平面部がつながる角部を有し平面視がＬ字状の熱交換器、該熱交換器の前面に配置されたプロペラファン、及び該プロペラファンを駆動するモーターが設けられた送風機室と、少なくとも前記熱交換器の側面側平面部と角部を覆う外郭パネルと、前記機械室及び前記送風機室の上面を覆う天面パネルと、を備え、前記熱交換器の角部は、平面視がＲ形状であり、前記外郭パネルにおいて、前記熱交換器の角部の外周を覆う部分は、該角部に沿うＲ形状で形成され、前記天面パネルにおける前記熱交換器の前記角部の上部には、前記外郭パネルにおける前記熱交換器の角部の外周を覆う部分より外側に突出した取っ手が設けられ、前記取っ手は、前記天面パネルの背面側の端及び側面側の端のそれぞれの延長線の内側に形成されており、該取っ手の裏側に凹部を有するものである。
【発明の効果】
【０００８】
本発明により、天面パネルにおいて熱交換器の角部の上部に取っ手を設けたことで、大型化することなく、空気が流入する開口部を塞がないので熱交換器の効率を低下させない空気調和機の室外機を得ることができる。
【図面の簡単な説明】
【０００９】
【図１】本発明の実施の形態１の空気調和機の室外機の内部を示す斜視図である。
【図２】本発明の実施の形態１の空気調和機の室外機の外郭部品を示す斜視図である。
【図３】本発明の実施の形態１の空気調和機の室外機の上面図である。
【図４】図３のＹ−Ｙ断面図である。
【図５】本発明の実施の形態１の空気調和機の室外機の外観を示す斜視図である。
【図６】本発明の実施の形態１の空気調和機の室外機の外観を示す斜視図である。
【図７】本発明の実施の形態１の空気調和機の室外機の外観を示す斜視図である。
【図８】本発明の実施の形態２の空気調和機の室外機の外観を示す斜視図である。
【発明を実施するための形態】
【００１０】
以下、本発明における空気調和機の室外機の例について、図面を用いて詳細に説明する。
【００１１】
実施の形態１．
図１は、本発明の実施の形態１の空気調和機の室外機の内部を示す斜視図である。
図１において、本実施の形態１の空気調和機の室外機内部は、送風機室５と機械室９とを有しており、各室はセパレータ１０によって分けられている。また、室外機内部の各部品は底面のベース１１の上に保持されている。
【００１２】
機械室９には、圧縮機６、冷媒配管７、及び電気品箱８が設けられている。室内機から送られた冷媒は、圧縮機６において圧縮され、冷媒配管７を通り、熱交換器１に送られる。また、電気品箱８は、各部品への電力供給等を行う。
【００１３】
送風機室５には、Ｌ字状に曲げられた熱交換器１と、プロペラファン２を取り付けたモーター３を保持するモーターサポート４が設けられている。熱交換器１は、側面側平面部１ａと角部１ｂと背面側平面部１ｃとにより構成されている。そして、プロペラファン２が動作することにより、熱交換器１の側面側平面部１ａ、角部１ｂ、背面側平面部１ｃを通過して室外機内に空気が流入し、その空気は、プロペラファン２を通過し室外機の前方に流出する。これにより、例えば冷房運転中においては、熱交換器１内の冷媒は空気によって冷却され、熱交換器１を通過した空気は冷媒と熱交換することで過熱される。
【００１４】
図２は、本発明の実施の形態１の空気調和機の室外機の外郭部品を示す斜視図である。
図２に示すように、本実施の形態１の空気調和機の室外機は、前面、左側面及び左側面と背面の間の角部が外郭パネル１２によって覆われており、右側面と背面の右端部分が側面パネル１３によって覆われている。外郭パネル１２の角部は、熱交換器１の角部１ｂと沿うＲ形状となっている。
なお、外郭部品の構成は、上記に限られるものではなく、例えば外郭パネル１２及び側面パネル１３が一体となっていてもよい。
【００１５】
また、上面は天面パネル１４にて覆われており、天面パネル１４における外郭パネル１２のＲ形状の上部は、外郭パネル１２のＲ形状より外側に突出したＲ形状に形成された取っ手１８が設けられている。
【００１６】
図３は、本発明の実施の形態１の空気調和機の室外機の上面図であり、図４は、図３のＹ−Ｙ断面図である。また、図５〜図７は、本発明の実施の形態１の空気調和機の室外機の外観を示す斜視図である。
図３に示すように、天面パネル１４に設けた取っ手１８は、天面パネル１４の左側面側の端の延長線１９と、背面側の端の延長線２０が交わる部品に囲まれた略三角形状の範囲内に形成されている。このため、製品の梱包の際に取っ手１８が製品の外郭から突出することがないので、梱包サイズを最小限とすることができる。
【００１７】
また、天面パネル１４の上面の取っ手１８の近傍に、取っ手１８の位置を明示する表示部２２が設けられている。表示部２２は、例えば刻印等であり、取っ手１８を明示できるものであればよい。これにより、運搬者が取っ手１８の場所を発見し易くしている。
【００１８】
図４は、図３のＹ−Ｙ断面図である。また、図５〜図７は、本発明の実施の形態１の空気調和機の室外機の外観を示す斜視図である。
図４に示すように、取っ手１８は、裏側に運搬者の指を挿入可能な大きさの凹部２３を有している。また、取っ手１８の板金（本発明における板材に相当）の端面２１はＵ字状に折り曲げられている。これにより、運搬者が取っ手１８の凹部２３に手を入れた際に、板金の端を直接触れないため、持ちやすく、ケガを防ぐことができる。
【００１９】
また、外郭パネル１２の左側面部分には、熱交換器１に空気を流入させるために、開口部１６及び開口部１７が設けられている。図４〜図７に示すように、開口部１６及び開口部１７は、外郭パネル１２の左側面部分に設けられており、開口部１７は開口部１６より面積が小さくなっている。また、図４〜図７においては、面積が小さい開口部１７は、上から２段目までに設けられており、その下の段以降は面積が大きい開口部１６となっている。これにより、運搬者が室外機を運搬する際に誤って開口部に手を挿入しようとした場合、開口部１７周辺の桟に指が当たることで注意喚起することにより、安全性を高める効果がある。なお、本実施の形態１においては、上から２段目まで開口部１７としているが、例えば最上段のみ開口部１７として、その下段以降は開口部１６としてもよい。
【００２０】
また、図４に示すように取っ手１８は、取っ手の指を掛ける部分の奥行きＬが両端を除く取っ手１８の長手方向全長の８０％ほどに渡って同一の長さであるため、運搬者にとって持ちやすい構造となっている。
【００２１】
また、取っ手１８の奥行きが確保できるため、取っ手１８の高さ方向の長さを薄くしても持ち運びに支障がない。取っ手１８の高さ方向の長さを薄くできることで、取っ手１８の下部にある外郭パネル１２の開口部１７に流入する空気の流路が塞がれないため、熱交換器の効率を低下させることがない。
また、天面パネルを上面から見た際に、取っ手１８の部分は段差があるため、取っ手１８の位置が明確に判断できる。そのため、誤って取っ手１８のない外郭パネル１２の左側面に手を掛けて、開口部１７又は開口部１６から手を挿入しフィンに触れることを防ぐことができる。
【００２２】
実施の形態２．
図８は、本発明の実施の形態２の空気調和機の室外機の外観を示す斜視図である
なお、本実施の形態２の空気調和機の室外機において、特に説明しない部分については、実施の形態１と同じであり、同様の効果が得られるものとする。
【００２３】
図８に示すように、本実施の形態２における取っ手１８は、その平面視が略三角形状となっている。また、取っ手１８の裏側には、実施の形態１と同様に凹部２３が設けられている。
【００２４】
本実施の形態２において、取っ手１８を略三角形状としたため、斜め方向からではなく、左側面方向又は背面方向から手を入れて運搬する場合にも持ちやすいという効果を得られる。
【符号の説明】
【００２５】
１  熱交換器、１ａ  側面側平面部、１ｂ  角部、１ｃ  背面側平面部、２  プロペラファン、３  モーター、４  モーターサポート、５  送風機室、６  圧縮機、７  冷媒配管、８  電気品箱、９  機械室、１０  セパレータ、１１  ベース、１２  外郭パネル、１３  側面パネル、１４  天面パネル、１６，１７  開口部、１８  取っ手、１９  左側面側の端の延長線、２０  背面側の端の延長線、２１  端面、２２  表示部、２３  凹部。
【図１】
0005312433.tif 000002
【図２】
0005312433.tif 000003
【図３】
0005312433.tif 000004
【図４】
0005312433.tif 000005
【図５】
0005312433.tif 000006
【図６】
0005312433.tif 000007
【図７】
0005312433.tif 000008
【図８】
0005312433.tif 000009